(57)【要約】【課題】サムネイル画像データから動画像データの認識を容易にし、操作性を向上させる。【解決手段】システム制御回路５０は、撮像素子１４から入力される動画像データが、静止画像データの記録に連動して記録されるデータである場合、動画像データの最終フレーム又は最終フレームの近傍のフレームに基づいてサムネイル画像データを生成する。【選択図】図１
2011130198.tif 000002
【特許請求の範囲】
【請求項１】
撮像手段と、
前記撮像手段から入力される動画像データが、静止画像データの記録に連動して記録されるデータであるか否かを判定する判定手段と、
前記判定手段によって、前記撮像手段から入力される前記動画像データが、前記静止画像データの記録に連動して記録されるデータであると判定された場合、前記動画像データの最終フレーム又は最終フレームの近傍のフレームに基づいてサムネイル画像データを生成する生成手段とを有することを特徴とする撮像装置。
【請求項２】
撮像手段と、
前記撮像手段から入力される動画像データが、静止画像データの記録に連動して記録されるデータであるか否かを判定する判定手段と、
前記判定手段によって、前記撮像手段から入力される前記動画像データが、前記静止画像データの記録に連動して記録されるデータであると判定された場合、前記静止画像データに基づいてサムネイル画像データを生成する生成手段とを有することを特徴とする撮像装置。
【請求項３】
前記生成手段によって生成された前記サムネイル画像データを表示装置において表示させる表示制御手段を更に有することを特徴とする請求項１又は２に記載の撮像装置。
【請求項４】
前記動画像データは、前記静止画像データの記録指示から当該記録指示の所定時間前までの動画像データ、又は、前記静止画像データの記録指示から当該記録指示の所定時間後までの動画像データであることを特徴とする請求項１乃至３の何れか１項に記載の撮像装置。
【請求項５】
撮像手段を有する撮像装置の制御方法であって、
前記撮像手段から入力される動画像データが、静止画像データの記録に連動して記録されるデータであるか否かを判定する判定ステップと、
前記判定ステップによって、前記撮像手段から入力される前記動画像データが、前記静止画像データの記録に連動して記録されるデータであると判定された場合、前記動画像データの最終フレーム又は最終フレームの近傍のフレームに基づいてサムネイル画像データを生成する生成ステップとを含むことを特徴とする撮像装置の制御方法。
【請求項６】
撮像手段を有する撮像装置の制御方法であって、
前記撮像手段から入力される動画像データが、静止画像データの記録に連動して記録されるデータであるか否かを判定する判定ステップと、
前記判定ステップによって、前記撮像手段から入力される前記動画像データが、前記静止画像データの記録に連動して記録されるデータであると判定された場合、前記静止画像データに基づいてサムネイル画像データを生成する生成ステップとを含むことを特徴とする撮像装置の制御方法。
【請求項７】
撮像手段から入力される動画像データが、静止画像データの記録に連動して記録されるデータであるか否かを判定する判定ステップと、
前記判定ステップによって、前記撮像手段から入力される前記動画像データが、前記静止画像データの記録に連動して記録されるデータであると判定された場合、前記動画像データの最終フレーム又は最終フレームの近傍のフレームに基づいてサムネイル画像データを生成する生成ステップとをコンピュータに実行させるためのプログラム。
【請求項８】
撮像手段から入力される動画像データが、静止画像データの記録に連動して記録されるデータであるか否かを判定する判定ステップと、
前記判定ステップによって、前記撮像手段から入力される前記動画像データが、前記静止画像データの記録に連動して記録されるデータであると判定された場合、前記静止画像データに基づいてサムネイル画像データを生成する生成ステップとをコンピュータに実行させるためのプログラム。
【発明の詳細な説明】
【技術分野】
【０００１】
本発明は、静止画像データの記録に連動して動画像データを記録することが可能な技術に関するものである。
【背景技術】
【０００２】
従来、固体メモリ素子を有するメモリカードを記録媒体として、静止画像データや動画像データを記録再生する電子カメラ等の画像処理装置が既に市販されている。この画像処理装置によって動画像データを記録した場合、記録した動画像データを実際に再生することなく、その記録内容を簡単に表示する方法として次の方法がある。即ち、動画像データの中のフレームを抽出し、抽出したフレームから静止画像データを画面上に複数個並べて表示するサムネイル表示が用いられる方法がある。例えば、特許文献１には、動画像データの再生停止時のフレームから生成した静止画像データをサムネイル表示することで、動画像データの再生状態を認識する方法が開示されている。
【先行技術文献】
【特許文献】
【０００３】
【特許文献１】特開２００７−１１０４６７号公報
【発明の概要】
【発明が解決しようとする課題】
【０００４】
しかしながら、例えば、静止画像データの記録に連動して動画像データを記録する機能を有する画像処理装置において、動画像データのサムネイル画像データを動画像データの再生停止時のフレームから生成する。すると、図６に示すように連動する静止画像データとは構図が大きく異なってしまう。また、明確なユーザ操作を実施する静止画像データ記録時の構図と比べて、動画像データの再生停止時の構図はユーザの印象に残りにくい。そのため、サムネイル表示によって、静止画像データの記録に連動した動画像データの検索を行う場合、動画像データの認識が難しく、目的の動画像データが見つけにくい等、操作性が悪い。
【０００５】
そこで本発明の目的は、サムネイル画像データから動画像データの認識を容易にし、操作性を向上させることにある。
【課題を解決するための手段】
【０００６】
本発明の撮像装置は、撮像手段と、前記撮像手段から入力される動画像データが、静止画像データの記録に連動して記録されるデータであるか否かを判定する判定手段と、前記判定手段によって、前記撮像手段から入力される前記動画像データが、前記静止画像データの記録に連動して記録されるデータであると判定された場合、前記動画像データの最終フレーム又は最終フレームの近傍のフレームに基づいてサムネイル画像データを生成する生成手段とを有することを特徴とする。
【発明の効果】
【０００７】
本発明においては、撮像手段より入力される動画像データが静止画像データに連動して記録されるデータである場合、当該動画像データの最終フレーム又は最終フレームの近傍のフレームに基づいてサムネイル画像データを生成するようにしている。従って、本発明によれば、サムネイル画像データから動画像データの認識が容易になり、目的の動画像データが見つけやすい等、操作性を向上させることができる。
【図面の簡単な説明】
【０００８】
【図１】本発明の実施形態に係る画像処理装置の構成を示す図である。
【図２】本発明の第１の実施形態において、動画像データの最終フレームから生成した静止画像データを動画像のサムネイル画像データとして表示する例を示す図である。
【図３】本発明の第１の実施形態における動画像データのサムネイル表示処理を示すフローチャートである。
【図４】本発明の第２の実施形態において、動画像データと連動する静止画像データを動画像データのサムネイル画像データとして表示する例を示す図である。
【図５】本発明の第２の実施形態における動画像データのサムネイル表示処理を示すフローチャートである。
【図６】従来技術において、動画像データのサムネイル画像データを動画像データの再生停止時のフレームから生成する例を示す図である。
【発明を実施するための形態】
【０００９】
以下、本発明を適用した好適な実施形態を、添付図面を参照しながら詳細に説明する。
【００１０】
図１は、本発明の第１の実施形態に係る画像処理装置の構成を示す図である。図１において、１００は画像処理装置である。１０は撮影レンズである。１２は絞り機能を備える機械式シャッタである。１４は光学像を電気信号に変換する撮像素子である。１６は撮像素子１４のアナログ信号出力をディジタル信号に変換するＡ／Ｄ変換器である。１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。１２の機械式シャッタ以外にも、１８の撮像素子のリセットタイミングの制御によって、電子シャッタとして蓄積時間を制御することが可能であり、動画撮影等に使用可能である。なお、図１に示す画像処理装置は、本発明の撮像装置の適用例となる構成である。また、撮像素子１４は、本発明の撮像手段の適用例となる構成である。
【００１１】
２０は画像処理回路であり、Ａ／Ｄ変換器１６からのデータ或いはメモリ制御回路２２からのデータに対して所定の画素補間処理や色変換処理を行う。また、画像処理回路２０によって画像の切り出し、変倍処理を行うことで電子ズーム機能が実現される。画像処理回路２０においては、撮像した画像データを用いて所定の演算処理を行い、得られた演算結果に基づいてシステム制御回路５０が露光制御部４０、測距制御部４２に対して制御を行う、ＴＴＬ方式のＡＦ処理、ＡＥ処理、ＥＦ処理を行っている。さらに、画像処理回路２０においては、撮像した画像データを用いて所定の演算処理を行い、得られた演算結果に基づいてＴＴＬ方式のＡＷＢ（オートホワイトバランス）処理も行っている。
【００１２】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１３】
２４は画像表示メモリである。２６はＤ／Ａ変換器、２８はＴＦＴ ＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダ機能を実現することが可能である。また、画像表示部２８は、システム制御回路５０の指示により任意に表示をＯＮ／ＯＦＦすることが可能であり、表示をＯＦＦにした場合には画像処理装置１００の電力消費を大幅に低減することができる。
【００１４】
３０は撮影した静止画像データや動画像データを格納するためのメモリであり、所定枚数の静止画像や所定時間の動画像を格納するのに十分な記憶量を備えている。これにより、複数枚の静止画像データを連続して撮影する連写撮影やパノラマ撮影の場合にも、高速かつ大量の画像書き込みをメモリ３０に対して行うことが可能となる。
【００１５】
また、メモリ３０はシステム制御回路５０の作業領域としても使用することが可能である。３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。４０は絞り機能を備えるシャッタ１２を制御する露光制御部であり、フラッシュ４８と連携することによりフラッシュ調光機能も有するものである。４２は撮影レンズ１０のフォーカシングを制御する測距制御部である。４４は撮影レンズ１０のズーミングを制御するズーム制御部である。４６はバリアである保護部１０２の動作を制御するバリア制御部である。
【００１６】
４８はフラッシュであり、ＡＦ補助光の投光機能、フラッシュ調光機能も有する。露光制御部４０、測距制御部４２はＴＴＬ方式を用いて制御されており、撮像した画像データを画像処理回路２０によって演算した演算結果に基づき、システム制御回路５０が露光制御部４０、測距制御部４２に対して制御を行う。５０は画像処理装置１００全体を制御するシステム制御回路である。５２はシステム制御回路５０の動作用の定数、変数、プログラム等を記憶するメモリである。５４はシステム制御回路５０でのプログラムの実行に応じて、文字、画像、音声等を用いて動作状態やメッセージ等を表示する液晶表示装置、スピーカ等の表示部である。表示部５４は、画像処理装置１００の操作部近辺の視認し易い位置に設置され、例えばＬＣＤやＬＥＤ、発音素子等の組み合わせにより構成されている。また、表示部５４は、その一部の機能が光学ファインダ１０４内に設置されている。表示部５４の表示内容のうち、ＬＣＤ等に表示するものとしては、シングルショット／連写撮影表示、セルフタイマ表示、圧縮率表示、記録画素数表示、記録枚数表示、残撮影可能枚数表示、シャッタスピード表示、絞り値表示、露出補正表示、フラッシュ表示、赤目緩和表示、マクロ撮影表示等がある。また、ブザー設定表示、電池残量表示、エラー表示、複数桁の数字による情報表示、記録媒体２００及び２１０の着脱状態表示、通信Ｉ／Ｆ動作表示等も可能である。また、表示部５４の表示内容のうち、光学ファインダ１０４内に表示するものとしては、合焦表示、手振れ警告表示、フラッシュ充電表示、シャッタスピード表示、絞り値表示、露出補正表示、等がある。
【００１７】
５６は電気的に消去・記録可能な不揮発性メモリであり、例えばＥＥＰＲＯＭ等が用いられる。６０、６２、６４、６６、７０、７２及び７４は、システム制御回路５０の各種の動作指示を入力するための操作部であり、スイッチやダイアル、タッチパネル、視線検知によるポインティング、音声認識装置等の単数或いは複数の組み合わせで構成される。
【００１８】
ここで、これらの操作部の具体的な説明を行う。６０はモードダイアルスイッチであり、電源オフ、自動撮影モード、撮影モード、パノラマ撮影モード、動画撮影モード、再生モード、マルチ画面再生・消去モード、ＰＣ接続モード、テレビ受信モード等の各機能モードを切り替え設定することができる。６２はシャッタスイッチＳＷ１であり、シャッタボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００１９】
６４はシャッタスイッチＳＷ２であり、シャッタボタンの操作完了でＯＮとなる。撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行う。次に記録媒体２００或いは２１０に画像データを書き込む記録処理という一連の処理の動作開始を指示する。
【００２０】
６６は表示切替スイッチであり、画像表示部２８の表示切替をすることができる。この機能により、光学ファインダ１０４を用いて撮影を行う際に、ＴＦＴ ＬＣＤ等から成る画像表示部への電流供給を遮断することにより、省電力を図ることが可能となる。７０は各種ボタンやタッチパネル等からなる操作部であり、メニューボタン、セットボタン、マクロボタン、マルチ画面再生改ページボタン、フラッシュ設定ボタン、単写／連写／セルフタイマ切り替えボタン等がある。またメニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等もある。
【００２１】
７２はユーザが撮像画像の倍率変更指示を行うズーム操作手段としてのズームスイッチ部である。以下、ズームスイッチ７２ともいう。このズームスイッチ７２は、撮像画角を望遠側に変更させるテレスイッチと、広角側に変更させるワイドスイッチからなる。このズームスイッチ７２を用いることにより、ズーム制御部４４に撮影レンズ１０の撮像画角の変更を指示し光学ズーム操作を行うトリガとなる。また、画像処理回路２０による画像の切り出しや、画素補間処理等による撮像画角の電子的な変更のトリガともなる。７４は被写体検出部で、被写体を検出する素子等がある。被写体として、顔検出する場合も考えられる。
【００２２】
８０は電源制御部であり、電池検出回路、ＤＣ−ＤＣコンバータ、通電するブロックを切り替えるスイッチ回路等により構成されており、電池の装着の有無、電池の種類、電池残量の検出を行う。また検出結果及びシステム制御回路５０の指示に基づいてＤＣ−ＤＣコンバータを制御し、必要な電圧を必要な期間、記録媒体を含む各部へ供給する。
【００２３】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプタ等からなる電源部である。９０及び９４はメモリカードやハードディスク等の記録媒体とのインタフェース、９２及び９６はメモリカードやハードディスク等の記録媒体と接続を行うコネクタである。
【００２４】
なお、本実施形態では記録媒体を取り付けるインタフェース及びコネクタを２系統持つものとして説明している。勿論、記録媒体を取り付けるインタフェース及びコネクタは、単数或いは複数、いずれの系統数を備える構成としても構わない。また、異なる規格のインタフェース及びコネクタを組み合わせて備える構成としても構わない。インタフェース及びコネクタとしては、ＳＤカードやＣＦカード等の規格に準拠したものを用いて構成して構わない。
【００２５】
さらに、インタフェース９０及び９４、そしてコネクタ９２及び９６をＰＣＭＣＩＡカードやＣＦ（コンパクトフラッシュ（登録商標））カード等の規格に準拠したものを用いて構成することも可能である。すなわちＬＡＮカードやモデムカード、ＵＳＢカード、ＩＥＥＥＥ１３９４カード、ＳＣＳＩカード、ＰＨＳ等の通信カード、等の各種通信カードを接続する。これにより、他のコンピュータやプリンタ等の周辺機器との間で画像データや画像データに付属した管理情報を転送し合うことができる。
【００２６】
１０２は、画像処理装置１００のレンズ１０を含む撮像部を覆うことにより、撮像部の汚れや破損を防止するバリアである保護手段である。１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタスピード表示、絞り値表示、露出補正表示等が設置されている。１１０は通信部であり、ＵＳＢ、ＩＥＥＥＥ１３９４、ＬＡＮ、無線通信、等の各種通信機能を有する。１１２は通信部１１０により画像処理装置１００を他の機器と接続するコネクタ或いは無線通信の場合はアンテナである。２００はメモリカードやハードディスク等の記録媒体である。記録媒体２００は、半導体メモリや磁気ディスク等から構成される記録部２０２、画像処理装置１００とのインタフェース２０４、画像処理装置１００と接続を行うコネクタ２０６を備えている。２１０はメモリカードやハードディスク等の記録媒体である。記録媒体２１０は、半導体メモリや磁気ディスク等から構成される記録部２１２、画像処理装置１００とのインタフェース２１４、画像処理装置１００と接続を行うコネクタ２１６を備えている。
【００２７】
次に、本発明の第１の実施形態に係る画像処理装置の動作について説明する。第１の実施形態では、静止画像データの記録に連動して、当該静止画像データの記録指示から当該記録指示の所定時間前までの動画像データを記録する機能を有する画像処理装置を対象とする。このような画像処理装置において、静止画像データに連動した動画像データのサムネイル画像データを表示する場合に、図２に示すように動画像データの最終フレームから生成した静止画像データを動画像のサムネイル画像データとして表示する例を述べる。このようにして表示されるサムネイル画像データは、連動する静止画像データと構図が近いものとなる。
【００２８】
図３は、第１の実施形態における動画像データのサムネイル表示処理を示すフローチャートである。このサムネイル表示処理における各処理は、システム制御回路５０が不揮発性メモリ５６に格納されたプログラムをメモリ５２に展開して実行することにより実現される。
【００２９】
先ず、システム制御回路５０は、撮像素子１４から入力された動画像データが静止画像データの記録に連動して記録される動画像データであるか否かを判定する（Ｓ５０１）。その結果、撮像素子１４から入力された動画像データが静止画像データの記録に連動して記録される動画像データならば、システム制御回路５０は、撮像素子１４から入力された動画像データの中から最終フレームを画像処理回路２０に抽出させる（Ｓ５０２）。なお、Ｓ５０１は、本発明の判定手段の処理例である。
【００３０】
次にシステム制御回路５０は、Ｓ５０２において抽出した最終フレームからサムネイル画像データを生成する（Ｓ５０３）。次にシステム制御回路５０は、Ｓ５０３において生成したサムネイル画像データを記録媒体２００或いは２１０に記録する（Ｓ５０４）。なお、Ｓ５０３は、本発明の生成手段の処理例である。
【００３１】
その後、ユーザによりサムネイル表示操作が実施されると、システム制御回路５０はＳ５０４において記録されたサムネイル画像データを読み出す。そしてシステム制御回路５０は、読み出したサムネイル画像データを圧縮・伸長回路３２により伸長し、画像表示メモリ２４へ展開し、表示部５４で表示させる（Ｓ５０５）。なお、Ｓ５０１において撮像素子１４から入力された動画像データが静止画像データの記録に連動して記録される動画像データではないと判定された場合、システム制御回路５０は通常のサムネイル画像データの表示を実行する。通常のサムネイル画像データの表示とは、例えば、動画像データの先頭フレームから生成したサムネイル画像データの表示等である。Ｓ５０５は、本発明の表示制御手段の処理例であり、表示部５４は、本発明における表示装置の適用例となる構成である。
【００３２】
図３に示す処理を実行することにより、本実施形態によれば、静止画像データの記録に連動して記録した動画像データのサムネイル画像データを、上記静止画像データに近い画像データとすることができる。従って、動画像データの認識が容易になり、目的の動画像データが見つけやすい等、操作性を向上させることができる。なお、動画像データの中から抽出するフレームを、本実施形態においては最終フレームとしたが、これに限定されるものではない。静止画像データの記録に連動して記録された動画像データの認識が容易になると考えられるフレームであれば、任意のフレームで構わない。例えば、最終フレームから１、２フレームだけ離れた位置の近傍のフレームからサムネイル画像データを生成してもよい。
【００３３】
次に本発明の第２の実施形態について説明する。第２の実施形態においても、静止画像データの記録に連動して、当該静止画像データの記録指示から当該記録指示の所定時間前までの動画像データを記録する機能を有する画像処理装置を対象とする。このような画像処理装置において、静止画像データに連動した動画像データのサムネイル画像データを表示する際に、図４に示すように動画像データと連動する静止画像データを動画像データのサムネイル画像データとして表示する例について述べる。このようにして表示されるサムネイル画像データは、連動する静止画像データと構図が近いものとなる。なお、本実施形態に係る画像処理装置の構成は、図１に示した第１の実施形態の構成と同様である。
【００３４】
図５は、本発明の第２の実施形態における動画像データのサムネイル表示処理を示すフローチャートである。このサムネイル表示処理における各処理は、システム制御回路５０が不揮発性メモリ５６に格納されたプログラムをメモリ５２に展開して実行することにより実現される。
【００３５】
先ず、システム制御回路５０は、撮像素子１４から入力された動画像データが静止画像データの記録に連動して記録される動画像データか否かを判定する（Ｓ７０１）。その結果、撮像素子１４から入力された動画像データが静止画像データの記録に連動して記録される動画像データならば、システム制御回路５０は、連動する静止画像データからサムネイル画像データを画像処理回路２０に生成させる（Ｓ７０２）。次にシステム制御回路５０は、Ｓ７０２において生成したサムネイル画像データを記録媒体２００或いは２１０に記録する（Ｓ７０３）。
【００３６】
その後、ユーザによりサムネイル表示操作が実施されると、システム制御回路５０はＳ７０３において記録されたサムネイル画像データを読み出す。そしてシステム制御回路５０は、読み出したサムネイル画像データを圧縮・伸長回路３２により伸長し、画像表示メモリ２４へ展開し、表示部５４で表示させる（Ｓ７０４）。なお、Ｓ７０１において撮像素子１４から入力された動画像データが静止画像データの記録に連動して記録される動画像データではないと判定された場合、システム制御回路５０は通常のサムネイル画像データの表示を実行する。通常のサムネイル画像データの表示とは、例えば、各動画像データの先頭フレームから生成したサムネイル画像データの表示等である。
【００３７】
図５に示す処理を実行することにより、本実施形態によれば、静止画像データの記録に連動して記録した動画像データのサムネイル画像データを、上記静止画像データに近い画像データとすることができる。従って、動画像データの認識が容易になり、目的の同画像データが見つけやすい等、操作性を向上させることができる。
【００３８】
なお、上記では、静止画像データの記録に連動して、当該静止画像データの記録指示から当該記録指示の所定時間前までの動画像データを記録する画像処理装置について説明した。これに限らず、本発明は、静止画像データの記録に連動して、当該静止画像データの記録指示から当該記録指示の所定時間後までの動画像データを記録する画像処理装置にも適用することができる。
【００３９】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である
【符号の説明】
【００４０】
２０：画像処理回路、２２：メモリ制御回路、２８：画像表示部、５０：システム制御回路
【図１】
2011130198.tif 000003
【図２】
2011130198.tif 000004
【図３】
2011130198.tif 000005
【図４】
2011130198.tif 000006
【図５】
2011130198.tif 000007
【図６】
2011130198.tif 000008